(57)【要約】      （修正有）【課題】手摺ベルトの劣化によって、手摺レールとの間で生じる擦過音等の異音の発生を抑制することができ、手摺ベルトの早期交換を余儀なくされることなく長期間に亘って使用できるようにする。【解決手段】欄干１１に固定された手摺レール１６に沿って踏み段と同期して手摺ベルト１４が無端状に移動する乗客コンベアの移動手摺装置において、乗客が手をおく手摺ベルト１４の腹部の内側面が接する側を手摺レール１６の表側として、その反対側にあたる手摺レール１６の裏面に、長さ方向に伸びる複数条の溝２２が欄干１１に関して左右対称な位置に形成される。【選択図】図２
2016169078.tif 000002
【特許請求の範囲】
【請求項１】
欄干に固定された手摺レールに沿って踏み段と同期して無端状に移動する乗客コンベアの移動手摺装置において、
乗客が手をおく手摺ベルトの腹部の内側面が接する側を前記手摺レールの表側として、その反対側にあたる当該手摺レールの裏面に、長さ方向に伸びる複数条の溝を前記欄干に関して左右対称な位置に形成したことを特徴とする乗客コンベアの移動手摺装置。
【請求項２】
前記溝を有する手摺レールは、手摺ベルトの折返し部を構成する手摺レールであることを特徴とする請求項１に記載の乗客コンベアの移動手摺装置。
【請求項３】
前記手摺レールの溝には、当該手摺レールの摩耗量を判定するためのスリップサインが形成されていることを特徴とする請求項１または２に記載の乗客コンベアの移動手摺装置。
【発明の詳細な説明】
【技術分野】
【０００１】
本発明の実施形態は、エスカレータや動く歩道などの移動手摺装置に関する。
【背景技術】
【０００２】
エスカレータや動く歩道の両側には、踏み段と同期して欄干の上を移動する手摺が設けられている。この種の移動手摺では、手摺レールを案内にして無端状の手摺ベルトが走行するようになっている。手摺ベルト（ハンドレール）は、欄干の両端部で湾曲した手摺レールに沿って折り返され、それ以外の領域では直線状の手摺レールに沿って直線的に走行する。手摺ベルトは、折り返されるときに曲げや伸びなどの変形を繰り返し受けながら、長時間に亘って使用される。
【０００３】
手摺ベルトは、可撓性とともに、強度、耐久性が要求されるベルトであり、一般には、芯材となるゴムの回りに保護材である帆布を積層し、さらに表面を美麗にするために化粧ゴムにより覆れている積層構造のベルトが使用されている。
【０００４】
手摺ベルトが湾曲した手摺レールを走行するときには、手摺レールとの間に摩擦が生じる。この摩擦によって、手摺ベルトの裏面は劣化し、積層した帆布がすり切れたり、ビートゴムなどの補強材が露出し破断するおそれがある。  
このため従来から、手摺ベルトと手摺レールとの間の摩擦を低減するための改良が行われており、例えば、特許文献１に記載された先行技術を挙げることができる。
【先行技術文献】
【特許文献】
【０００５】
【特許文献１】特開平６−２９３４８７号公報
【発明の概要】
【発明が解決しようとする課題】
【０００６】
しかしながら、手摺ベルトは、使用していると次第に劣化が進行していくことが避けられない。そして、手摺ベルトの劣化が、強度的に交換しなければならない程度まで進んでいない場合であっても、擦過音などの異音が発生することがある。このような異音は、利用者にとって、エスカレータが軋んであたかも鳴き音を出している異音に感じられ、不安を与える。
【０００７】
手摺ベルトの劣化による異音が発生するようになると、たとえ法令等で規定された安全基準を満たし強度や耐久性に大きな問題が無くても、手摺ベルトや手摺レールを早期交換しなければならなくなることがある。
【０００８】
本発明は、前記従来技術の有する問題点に鑑みなされたものであって、手摺ベルトの劣化によって、手摺レールとの間で生じる擦過音等の異音の発生を抑制することができ、手摺ベルトの早期交換を余儀なくされることなく長期間に亘って使用できるようにした乗客コンベアの移動手摺装置を提供することを目的としている。
【課題を解決するための手段】
【０００９】
前記の目的を達成するために、本発明の実施形態による乗客コンベアの移動手摺装置は、欄干に固定された手摺レールに沿って踏み段と同期して無端状に移動する乗客コンベアの移動手摺装置において、
乗客が手をおく手摺ベルトの腹部の内側面が接する側を前記手摺レールの表側として、その反対側にあたる当該手摺レールの裏面に、長さ方向に伸びる複数条の溝を前記欄干に関して左右対称な位置に形成したことを特徴とするものである。
【図面の簡単な説明】
【００１０】
【図１】本発明による移動手摺装置が設けられるエスカレータを示す模式図である。
【図２】本発明の実施形態による移動手摺装置において、下部手摺レールと手摺レールの横断面を示す図である。
【図３】図２の断面を拡大して示す横断面図である。
【図４】下部手摺レールの裏面を示す斜視図である。
【図５】下部手摺レールに設けられるスリップサインを示す斜視図である。
【発明を実施するための最良の形態】
【００１１】
以下、本発明による乗客コンベアの移動手摺装置の一実施形態について、添付の図面を参照しながら説明する。  
図１は、本実施形態による移動手摺装置が設けられたエスカレータを示す模式図である。図１において、参照番号１０はエスカレータ全体を示している。参照番号１２は踏段を示している。
【００１２】
踏み段１２の左右両側には、欄干１１が設けられ、それぞれ下階から上階まで延びるようになっている。欄干１１には、踏段１２と同じ方向に同期してエンドレスに循環走行する無端状の手摺ベルト１４が設けられている。
【００１３】
手摺ベルト１４は、以下のような手摺レールに巻き付けられている。この手摺レールは、直線部手摺レール１５ａ、１５ｂと、Ｕ字形に湾曲して手摺ベルト１４の下階側折返し部となる下部手摺レール１６と、同じくＵ字形に湾曲して上階側折返し部となる上部手摺レール１８と、からなり、これらによって無端状の手摺レールになるように連結されている。
【００１４】
次に、図２は、手摺ベルト１４と下部手摺レール１６の断面を示す図で、図３はさらに断面を拡大して示す図である。なお、他の手摺レール、直線部手摺レール１５ａ、１５ｂ、上部手摺レール１８と手摺ベルト１６の断面構造も図２と同様である。
【００１５】
まず、手摺ベルト１４について説明する。この手摺ベルト１４は、麻や綿からなるキャンバス地（帆布）、ゴム、抗張体などの素材を積層形成した断面略Ｃ字形のベルトである。この手摺ベルトに可撓性を与えるゴム２３は、裏表ともキャンバス地が積層されたキャンバス２６によって包まれている。キャンバス２６の上に重ねるようにして、手摺ベルト１４の表面は、美観を与える化粧ゴム２８の薄い層によって被覆されている。  
手摺ベルト１４の平坦な腹部では、ゴム２３の中に抗張体としてのスチールコード２５が埋め込まれている。手摺ベルト１４の腹部の表面は、乗客が手をおいたりつかむ面である。他方、手摺ベルト１４の左右両側縁部は、内側に鉤状に折れ曲がる鉤状部２７となっており、この鉤状部２７の先端に近い部分には、その補強のためにビートゴム２４が埋設されている。
【００１６】
次に、手摺ベルト１４が摺動自在に嵌合している下部手摺レール１６について説明する。下部手摺レール１６は、欄干１１の上端部に固定されるレールである。この下部手摺レール１６は、手摺ベルト１４のＣ字形の断面形状に対応するように、肉厚に形成された左右の側縁部２０Ａ、２０Ｂを欄干１１に関して左右対称に有している。手摺ベルト１４の左右両側の鉤状部２７は、下部手摺レール１６の側縁部２０Ａ、２０Ｂにそれぞれ密着するように嵌合している。
【００１７】
ここで、下部手摺レール１６の各面については、手摺ベルト１４の腹部の内側面が接する面を表面側とし、その反対側を裏面側と定義する。下部手摺レール１６の側縁部２０Ａ、２０Ｂの裏面、この場合、手摺ベルト１４の鉤状部２７の平らな部分が接する面には、下部手摺レール１６の長さ方向に伸びる複数条の溝２２が形成されている。この実施形態では、溝２２は、それぞれ側縁部２０Ａ、２０Ｂの裏面に複数条、図２では、左右の縁から所定の間隔、例えば、２mm程度の間隔をおいて３条ずつ欄干１１に関して左右対称な位置に形成されている。
【００１８】
なお、この実施形態の下部手摺レール１６の表面側では、手摺ベルト１４との接触面積を少なくするために左右の側縁部２０Ａ、２０Ｂの間に凹部２９が形成されている。
【００１９】
次に、図４は、下部手摺レール１６の裏面を示す図である。
【００２０】
この実施形態では、下部手摺レール１６の裏面では、上述した溝２２の途中に所定の間隔、例えば３００mm程度の間隔をおいてスリップサイン３０が形成されている。このスリップサイン３０は、手摺ベルト１４との接触面の摩耗の程度を点検時に判断するためのものである。
【００２１】
図５に示されるように、スリップサイン３０のところだけ、溝２２の底は、例えば４mm程度高くなっている。このスリップサイン３０の高さは、下部手摺レール１６の交換要否に関する安全基準に基づいて設定される。
【００２２】
手摺ベルト１４と接触する溝２２の間の山の部分で摩耗が進行していくと、やがて、山の部分の高さとスリップサイン３０の高さが同じになる。この時が、下部手摺レール１６の交換時期である。
【００２３】
本実施形態による乗客コンベアの移動手摺装置は、以上のように構成されるものであり、次に、その作用および効果について説明する。  
手摺ベルト１４は、下部手摺レール１６、直線部手摺レール１５ａ、１５ｂおよび上部手摺レール１８を走行するときに、これらの手摺レールとの間で摩擦を生じさせる。また、手摺ベルト１４は、下部手摺レール１６や上部手摺レール１８で折り返されるときに、曲げや伸びなどの変形を繰り返し受けながら長期間に亘って使用される。
【００２４】
このような摩擦や、曲げ、伸びなどの変形を受けることによって、手摺ベルト１４の劣化は徐々に進行する。やがて手摺ベルト１４の裏面では、積層したキャンバス２６がすり切れ繊維がほぐれたり、劣化により硬くなった部分が生じる。また、ビートゴム２４の一部がすり切れたキャンバス２６から露出するようになる。このような手摺ベルト１４の劣化は、下部手摺レール１６の側縁部２０Ａ、２０Ｂの裏面と接触する鉤状部２７で顕著にみられる。
【００２５】
下部手摺レール１６や上部手摺レール１８を手摺ベルト１４が通過するときには、特に、下部手摺レール１６では、手摺ベルト１４が駆動機構により引っ張られて押し付けられる度合いが強い。このため、劣化した手摺ベルト１４の裏面と下部手摺レール１６との間の摩擦が大きくなり、下部手摺レール１６を中心に擦過音が生じることがある。この擦過音は、例えば、「キイキイ」と軋むような異音となって現れる。
【００２６】
しかしながら、本実施形態では、図２、図３に示されるように、異音の発生を防止するために、下部手摺レール１６の側縁部２０Ａ、２０Ｂの裏面には長さ方向に伸びる複数の溝２２が形成されている。これらの溝２２があることによって、キャンバス２６が劣化して硬くなった部分や、すり切れたキャンバス２６から一部露出したビートゴム２４が側縁部２０Ａ、２０Ｂの裏面に接触しても、接触面積は大幅に少なくなるので、擦過音など異音の発生を抑制することができる。
【００２７】
また、異音の発生を抑制することにより、異音を原因とする手摺ベルト１４の早期交換を余儀なくされることがなくなり、また接触面積の減少により手摺ベルト１４の負荷を軽減できるので寿命が延び、安全基準で規定された範囲内で、できるかぎり長期間にわたって手摺ベルト１４を使用することができる。
【００２８】
他方、下部手摺レール１６の方は、手摺ベルト１４との摩擦によって、側縁部２０Ａ、２０Ｂの裏面では、溝２２の間の山の部分がしだいに摩耗していく。本実施形態では、図４に示したように、溝２２のところどころにスリップサイン３０が設けられているので、エスカレータの保守点検時には、摩耗量の限界を客観的に判断することができる。
【００２９】
なお、以上は、下部手摺レール１６の裏面に溝２２を設けた例を中心に説明したが、湾曲した上部手摺レール１８にも手摺ベルト１４の劣化によって異音を生じることがあるので、上部手摺レール１８の裏面にも溝２２やスリップサイン３０を設けるようにしてもよい。また、直線部手摺レール１５ａ、１５ｂにも適用可能である。
【００３０】
以上、本発明に係る乗客コンベアの移動手摺装置について、エスカレータに適用した実施形態を挙げて説明したが、本発明は、動く歩道のような乗客コンベアにも適用可能である。
【００３１】
また、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３２】
１０…エスカレータ、１１…欄干、１２…踏段、１４…手摺ベルト、１５ａ、１５ｂ…直線部手摺レール、１６…下部手摺レール、１８…上部手摺レール、２０Ａ、２０Ｂ…側縁部、２２…溝、２３…ゴム、２４…ビートゴム、２５…スチールコード、２６…キャンバス、２７…鉤状部、３０…スリップサイン
【図１】
2016169078.tif 000003
【図２】
2016169078.tif 000004
【図３】
2016169078.tif 000005
【図４】
2016169078.tif 000006
【図５】
2016169078.tif 000007
【手続補正書】
【提出日】平成28年3月4日(2016.3.4)
【手続補正１】
【補正対象書類名】明細書
【補正対象項目名】０００９
【補正方法】変更
【補正の内容】
【０００９】
前記の目的を達成するために、本発明の実施形態による乗客コンベアの移動手摺装置は、欄干に固定された手摺レールに沿って踏み段と同期して無端状に移動する乗客コンベアの移動手摺装置において、乗客が手をおく手摺ベルトの腹部の内側面が接する側を前記手摺レールの表側とし、その反対側にあたる当該手摺レールを裏面として、手摺ベルトの折返し部を構成する部分の前記手摺レールの裏面に限定して、前記手摺ベルトが前記手摺レールの間で発生する擦過音を抑制する複数条の溝を当該手摺ベルトの長さ方向にかつ前記欄干に関して左右対称な位置に形成したことを特徴とするものである。
【手続補正２】
【補正対象書類名】特許請求の範囲
【補正対象項目名】全文
【補正方法】変更
【補正の内容】
【特許請求の範囲】
【請求項１】
欄干に固定された手摺レールに沿って踏み段と同期して無端状に移動する乗客コンベアの移動手摺装置において、
乗客が手をおく手摺ベルトの腹部の内側面が接する側を前記手摺レールの表側とし、その反対側を当該手摺レールの裏面として、手摺ベルトの折返し部を構成する部分の前記手摺レールの裏面に限定して、前記手摺ベルトが前記手摺レールの間で発生する擦過音を抑制する複数条の溝を当該手摺ベルトの長さ方向にかつ前記欄干に関して左右対称な位置に形成したことを特徴とする乗客コンベアの移動手摺装置。
【請求項２】
前記手摺レールの溝には、当該手摺レールの摩耗量を判定するためのスリップサインが形成されていることを特徴とする請求項１に記載の乗客コンベアの移動手摺装置。